【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
骨の輪郭を形成することができる低プロファイルのプレートと、
前記プレートに設けられた少なくとも一つのチャンネル又はトンネルと、
前記チャンネル又はトンネルと、骨に付着した軟組織とを通る、少なくとも一つの可撓性デバイスと、
を含む、骨プレーティング・システム。
【請求項２】
請求項１に記載された骨プレーティング・システムにおいて、前記少なくとも一つの可撓性デバイスは、引張力を無力化することができる、前記骨プレーティング・システム。
【請求項３】
請求項１に記載された骨プレーティング・システムにおいて、前記少なくとも一つの可撓性デバイスは骨を囲繞しない、前記骨プレーティング・システム。
【請求項４】
請求項１に記載された骨プレーティング・システムにおいて、前記プレートは原位置で骨の輪郭を形成する、前記骨プレーティング・システム。
【請求項５】
請求項１に記載された骨プレーティング・システムにおいて、前記骨プレーティング・システムは、更に、前記プレートに設けられた一つ又はそれ以上の孔と、前記一つ又はそれ以上の孔に通されて前記プレートを骨に取り付ける一つ又はそれ以上のねじとを含む、前記骨プレーティング・システム。
【請求項６】
請求項５に記載された骨プレーティング・システムにおいて、前記一つ又はそれ以上の孔にねじ山が形成され、前記一つ又はそれ以上のねじは、止めねじ、非ロックねじ、又は、これらの組み合わせである、前記骨プレーティング・システム。
【請求項７】
請求項１に記載された骨プレーティング・システムにおいて、前記少なくとも一つの可撓性デバイスは、ケーブル、縫合糸、ワイヤ、弾性ポリマー、又は、これらの組み合わせである、前記骨プレーティング・システム。
【請求項８】
請求項１に記載された骨プレーティング・システムにおいて、前記軟組織は、腱、靱帯、又は、筋膜である、前記骨プレーティング・システム。
【請求項９】
請求項１に記載された骨プレーティング・システムにおいて、
前記骨は膝蓋骨であり、
軟組織が、前記膝蓋骨から上方に延在すると共に前記膝蓋骨から下方に延在し、又は、前記膝蓋骨を取り囲み、
前記プレートは全体としてＸ字形状を成し、前記プレートは、全体として上方に延在する二つのアームと、全体として下方に延在する二つのアームとを有し、
前記少なくとも一つのチャンネル又はトンネルは、前記プレートから全体として上方に延在する前記二つのアームにそれぞれ形成されると共に、前記プレートから全体として下方に延在する前記二つのアームにそれぞれ形成され、
前記可撓性デバイスは、全体として上方に延在する前記二つのアームにそれぞれ形成された前記チャンネル又はトンネルと、前記膝蓋骨から上方に延在する前記軟組織とを通り、
第２の可撓性デバイスが、全体として下方に延在する前記二つのアームにそれぞれ形成された前記チャンネル又はトンネルと、前記膝蓋骨から下方に延在する前記軟組織とを通る、
前記骨プレーティング・システム。
【請求項１０】
請求項１に記載された骨プレーティング・システムにおいて、
前記骨は膝蓋骨であり、
軟組織が、前記膝蓋骨から上方に延在すると共に前記膝蓋骨から下方に延在し、
前記プレートは全体としてＸ字形状を成し、前記プレートは、全体として上方に延在する二つのアームと、全体として下方に延在する二つのアームとを有し、
前記少なくとも一つのチャンネル又はトンネルは、前記プレートから全体として上方に延在する前記二つのアームにそれぞれ形成されると共に、前記プレートから全体として下方に延在する前記二つのアームにそれぞれ形成され、
前記可撓性デバイスは、全体として上方に延在する前記二つのアームにそれぞれ形成された前記チャンネル又はトンネルと、全体として下方に延在する前記二つのアームにそれぞれ形成された前記チャンネル又はトンネルと、前記膝蓋骨から上方及び下方に延在する前記軟組織とを通る、
前記骨プレーティング・システム。
【請求項１１】
請求項１に記載された骨プレーティング・システムにおいて、
前記骨は肘頭であり、
軟組織が前記肘頭から上方に延在し、
前記プレートは細長いＸ字形状であり、前記プレートは、中央区分と、全体として上方に延在する二つのアームと、全体として下方に延在する二つのアームとを有し、
前記少なくとも一つのチャンネル又はトンネルは、前記プレートから全体として上方に延在する前記二つのアームにそれぞれ形成され、
前記可撓性デバイスは、全体として上方に延在する前記二つのアームにそれぞれ形成された前記チャンネル又はトンネルと、前記肘頭から上方に延在する前記軟組織とを通る、
前記骨プレーティング・システム。
【請求項１２】
請求項１に記載された骨プレーティング・システムにおいて、
前記骨は大転子であり、
軟組織が前記大転子から上方に延在し、
前記プレートは全体としてＹ字形状を成し、前記プレートは、下方に延在する一つのアームと、全体として上方に延在する二つのアームとを有し、
前記少なくとも一つのチャンネル又はトンネルは、前記プレートから全体として上方に延在する前記二つのアームにそれぞれ形成され、
前記可撓性デバイスは、全体として上方に延在する前記二つのアームにそれぞれ形成された前記チャンネル又はトンネルと、前記大転子から上方に延在する軟組織とを通る、
前記骨プレーティング・システム。
【請求項１３】
請求項１に記載された骨プレーティング・システムにおいて、
前記骨は上腕骨大結節であり、
軟組織が前記大結節から上方に延在し、
前記プレートは全体としてＴ字形状を成し、前記プレートは、下方に延在する一つのアームと、前記上腕骨の前方及び後方に延在する上部分とを有し、
前記少なくとも一つのチャンネル又はトンネルは、前記プレートの前記上部分に形成され、
前記可撓性デバイスは、前記プレートの前記上部分の前記チャンネル又はトンネルと、前記大結節から上方に延在する前記軟組織とを通る、
前記骨プレーティング・システム。
【請求項１４】
請求項１に記載された骨プレーティング・システムにおいて、
前記骨は橈骨茎状突起であり、
軟組織が前記橈骨茎状突起から上方に延在し、
前記プレートは全体としてＹ字形状を成し、前記プレートは、下方に延在する一つのアームと、全体として上方に延在する二つのアームとを有し、
前記少なくとも一つのチャンネル又はトンネルは、前記プレートから全体として上方に延在する前記二つのアームにそれぞれ形成され、
前記可撓性デバイスは、全体として上方に延在する前記二つのアームにそれぞれ形成された前記チャンネル又はトンネルと、前記橈骨茎状突起から上方に延在する前記軟組織とを通る、
前記骨プレーティング・システム。
【請求項１５】
請求項１に記載された骨プレーティング・システムにおいて、
前記骨は内果であり、
軟組織が前記内果から下方に延在し、
前記プレートは全体として逆Ｙ字形状を成し、前記プレートは、上方に延在する一つのアームと、全体として下方に延在する二つのアームとを有し、
前記少なくとも一つのチャンネル又はトンネルは、前記プレートから全体として下方に延在する前記二つのアームにそれぞれ形成され、
前記可撓性デバイスは、全体として下方に延在する前記二つのアームにそれぞれ形成された前記チャンネル又はトンネルと、前記内果から下方に延在する前記軟組織とを通る、
前記骨プレーティング・システム。
【請求項１６】
請求項５に記載された骨プレーティング・システムにおいて、
前記骨は腓骨の外果であり、
軟組織が前記腓骨から下方に延在し、
前記プレートは全体として逆Ｙ字形状を成し、前記プレートは、上方に延在する一つのアームと、全体として下方に延在する二つのアームとを有し、
前記少なくとも一つのチャンネル又はトンネルは、前記プレートから全体として下方に延在する前記二つのアームにそれぞれ形成され、
前記可撓性デバイスは、全体として下方に延在する前記二つのアームにそれぞれ形成された前記チャンネル又はトンネルと、前記腓骨から下方に延在する前記軟組織とを通る、
前記骨プレーティング・システム。